(57)【要約】【課題】本発明は、磁束漏洩方式を採用した通信装置に残された問題を解決するものであり、電磁誘導方式による新しい原理に基づく通信装置及びその通信装置を用いた開閉システムを提供することを可能にすることを目的としている。【解決手段】通信装置１の少なくとも送受信部３のアンテナコイル２がデータキャリア５と電磁誘導作用により通信可能な厚さに形成した金属層４で保護された構成であることを特徴とする。【選択図】      図５
2004266352.tif 000002
【特許請求の範囲】
【請求項１】
アンテナを含む送受信部、制御部及び記憶部を有し、データキャリアとの間で電磁波による通信を行う通信装置において、
少なくとも前記送受信部のアンテナが、前記データキャリアと電磁誘導作用により通信可能な厚さに形成した金属層で保護されていることを特徴とする通信装置。
【請求項２】
前記送受信部、制御部及び記憶部を含む通信装置全体が前記金属層で保護されていることを特徴とする請求項１に記載の通信装置。
【請求項３】
前記金属層の材質がオーステナイト系ステンレス、チタンまたは白銅であることを特徴とする請求項１または請求項２に記載の通信装置。
【請求項４】
金属材料で構成された対象物に設けた開閉ロック装置を非接触で開閉するシステムにおいて、
アンテナを含む送受信部、制御部及び記憶部を有し、データキャリアとの間で電磁波による通信を行う通信装置を前記対象物の内部に設け、
前記通信装置の少なくとも送受信部のアンテナを、前記データキャリアと電磁誘導作用により通信可能な厚さに形成した金属層を介して前記対象物の表面側に配置し、
その金属層を介して電磁誘導作用により前記通信装置と前記データキャリアとの間で通信を行い、該データキャリアから発信する特定のコード情報と前記記憶部に記憶されたコード情報とを前記制御部で判別し、それ等が一致したときに前記制御部が前記開閉ロック装置に解錠信号を出力するように構成したことを特徴とする開閉システム。
【請求項５】
前記金属層の材質がオーステナイト系ステンレス、チタンまたは白銅であることを特徴とする請求項４に記載の開閉システム。
【請求項６】
前記開閉ロック装置が、金属材料で構成された開閉扉と、それに隣接する壁との間に設けられるか、または金属材料で構成された金庫の開閉扉と、それに隣接する壁との間に設けられることを特徴とする請求項４または請求項５に記載の開閉システム。
【発明の詳細な説明】
【０００１】
【発明の属する技術分野】
本発明は、アンテナを含む送受信部、制御部及び記憶部を有し、データキャリアとの間で電磁波による通信を行う通信装置、及びその通信原理を利用した開閉システムに関するものである。
【０００２】
【従来の技術】
アンテナコイルと記憶部を有し、電磁波により非接触で通信を行うデータキャリアは種々の分野で広く使用されている。例えばカード状に形成されたデータキャリアは、ＩＣカードとして交通関係の定期券や金融関係のキャッシュカードに使用されており、通常、これ等のＩＣカードはデータキャリアを樹脂モールドしてその両側を２枚の薄い保護用の樹脂板で挟んで形成される。
【０００３】
上記データキャリアは、通常、電磁波を利用して通信装置と非接触で通信し、種々の利用システムに応用される。即ち、データキャリア及び通信装置は夫々アンテナコイルと制御回路、記憶部を備え、そのアンテナコイルを利用して相互に情報の送受信を行って種々の管理や制御を実行する。
【０００４】
例えば、データキャリアを開閉扉の自動開錠の非接触型キーとして使用する場合は、通信装置を開閉扉またはそれに隣接する壁部分に配置しておき、カード型のデータキャリアをその通信装置に近づけ、データキャリアから発信したコード情報が通信装置に記憶されたコード情報と一致したときに開閉扉を自動的に解錠する。
【０００５】
ところで、電磁波は非導電性材料である木材や樹脂は簡単に透過するが、鉄板等の導電性材料は電磁波により渦電流が発生して通信感度が著しく低下する。そのため従来から鉄板等の導電性材料を介して電磁波通信することは不可能とされている。
【０００６】
そして、通信装置は耐久性のため一般にケース等で保護されるが、上記の理由から通信装置、特にそのアンテナ部分は非導電性材料の樹脂モールドまたは樹脂ケースで保護して対象物に配置または取り付けている。
【０００７】
しかし、樹脂モールドまたは樹脂ケースは金属ケースよりも耐久性が劣るので、出来れば通信装置を金属製ケースで保護することが望ましいことは言うまでもない。
【０００８】
一方、工場や研究施設、または事務所等の出入口用の開閉扉や壁の表装材はセキュリティや防火性のために鉄板を使用したものが多い。従って、前記のような自動開錠システムをこのような部分に設けるには、通常ドアの表面またはドアに隣接した壁の表面に取り付けた樹脂製のボックスに通信装置を収容し、ボックスの表面にデータキャリアを接近して開錠している。
【０００９】
しかし、ドアや壁の表面にボックスを突出させることは外観上好ましくなく、容易に外部から破壊出来るのでセキュリティ上も問題になる。
【００１０】
そこで本出願人は、機械的強度の大きい金属等の導電性部材で保護された状態で外部との通信を可能としたデータキャリア設置構造及びその通信方法等を提案している（例えば、特許文献１〜３参照。）。
【００１１】
更に本出願人は、鉄板等を使用した壁の内側に通信装置を配置し、壁の表面からデータキャリアを近づけで開閉扉を解錠する開閉システムを特願２００１−２２７２２２号で提案した。この開閉システムはアンテナを含む送受信部、制御部及び記憶部を有する通信装置をドアに隣接する壁内部に取り付け、開閉扉の壁の僅かな隙間を漏洩する漏洩磁束を利用してデータキャリアとの間で通信を行い、ドアの自動解錠を行うものである。この開閉システムは通信装置を壁の表面に露出しないので外観上及びセキュリティ上優れている。
【００１２】
【特許文献１】
特開２００２−１５７５６５号公報
【特許文献２】
特開２００２−２０８８７６号公報
【特許文献３】
特開２００２−１１８４９０号公報
【００１３】
【発明が解決しようとする課題】
しかしながら、前述の開閉システムでは、通信装置を開閉扉と壁の境部分に接近させて配置する必要があるので、取り付け上の制約を受けるという問題が残る。
【００１４】
本発明は前記課題を解決するものであり、その目的とするところは、磁束漏洩方式を採用した通信装置に残された問題を解決するものであり、電磁誘導方式による新しい原理に基づく通信装置及びその通信装置を用いた開閉システムを提供せんとするものである。
【００１５】
【課題を解決するための手段】
前記目的を達成するための本発明に係る通信装置は、アンテナを含む送受信部、制御部及び記憶部を有し、データキャリアとの間で電磁波による通信を行う通信装置において、少なくとも前記送受信部のアンテナが、前記データキャリアと電磁誘導作用により通信可能な厚さに形成した金属層で保護されていることを特徴とする。
【００１６】
本発明は、上述の如く構成したので、少なくとも通信端末部分である送受信部のアンテナが金属層で保護されているので、送受信端末部分の耐久性を極めて高く出来る。
【００１７】
また、前記送受信部、制御部及び記憶部を含む通信装置全体を前記金属層で保護することが出来る。このような構成によれば、通信装置全体の耐久性を極めて高く出来る。
【００１８】
また、前記金属層の材質として、オーステナイト系ステンレス、チタンまたは白銅を用いることが出来る。これ等の材料を使用することにより通信感度がより向上する。
【００１９】
また、本発明に係る開閉システムは、金属材料で構成された対象物に設けた開閉ロック装置を非接触で開閉するシステムにおいて、アンテナを含む送受信部、制御部及び記憶部を有し、データキャリアとの間で電磁波による通信を行う通信装置を前記対象物の内部に設け、前記通信装置の少なくとも送受信部のアンテナを、前記データキャリアと電磁誘導作用により通信可能な厚さに形成した金属層を介して前記対象物の表面側に配置し、その金属層を介して電磁誘導作用により前記通信装置と前記データキャリアとの間で通信を行い、該データキャリアから発信する特定のコード情報と前記記憶部に記憶されたコード情報とを前記制御部で判別し、それ等が一致したときに前記制御部が前記開閉ロック装置に解錠信号を出力するように構成したことを特徴とする。
【００２０】
上記開閉システムによれば、金属製の材料で構成された対象物の一部に前記金属層を形成し、その金属層を介して外側から接近させたデータキャリアとの間で通信を行って開錠を行うので、通信装置のアンテナ部分付近に磁束漏洩路を形成する必要がない。そのため通信装置の配置若しくは取り付け位置の制約がなくなり、設計の自由度が向上する。
【００２１】
また、前記開閉ロック装置を、金属材料で構成された開閉扉と、それに隣接する壁との間に設けるか、或いは金属材料で構成された金庫の開閉扉と、それに隣接する壁との間に設けることが出来る。
【００２２】
【発明の実施の形態】
図により本発明に係る通信装置及びそれを用いた開閉システムの一実施形態を具体的に説明する。図１は本発明に係る通信装置の電磁波通信原理を説明するブロック図、図２は本発明に係る通信装置の電磁波通信原理を利用した開閉扉の開閉システムを説明するブロック図、図３は本発明に係る開閉システムの動作を説明するフローチャート、図４は本発明に係る開閉システムを金属材料で構成された建物の開閉扉とそれに隣接する壁に対して適用し、その開閉扉の外側から見た正面図、図５は本発明の開閉システムを金属材料で構成された建物の開閉扉とそれに隣接する壁に対して適用した一例を示す横断面図である。
【００２３】
先ず、図１〜図５を用いて本発明に係る通信装置を備えた開閉システムの第１実施形態の構成について説明する。図１において、通信装置１にはアンテナコイル２を有する送受信部３が設けられ、通信装置１全体が薄い金属層４で保護されている。一方、データキャリア５にもアンテナコイル６を有する送受信部７が設けられる。
【００２４】
例えば、データキャリア５から通信装置１に情報を送信する場合、データキャリア５はアンテナコイル６から電磁波Ｈ１を通信装置１のアンテナコイル２に向かって発信する。この電磁波Ｈ１は直接、通信装置１のアンテナコイル２に到達することはないが、金属層４に表皮電流Ｉを発生させ、その表皮電流Ｉにより金属層４の反対側、即ち、通信装置１のアンテナコイル２側に同じ周波数の電磁波Ｈ２が発生する。
【００２５】
そして、この電磁波Ｈ２が通信装置１のアンテナコイル２によって受信される結果、データキャリア５と通信装置１との間の通信が可能になる。逆に通信装置１からデータキャリア５に向かって電磁波を発信する場合も同様な原理で通信出来る。
【００２６】
通信に使用される電磁波の周波数は、数百Ｈｚ〜数ＭＨｚの周波数帯域の範囲で種々選択されるが、そのような高周波の電磁波が金属層４に照射されると前述のように金属層４中には表皮電流Ｉが発生するが、その表皮電流Ｉの厚さｄは（πｆμρ）の１／２乗に反比例することが分かっている。ここでｆは電磁波の周波数、μは金属層４の誘電率、ρは金属層４の抵抗率である。
【００２７】
そして、金属層４を通しての電磁誘導作用により通信を行うには金属層４の厚さｔをｔ≦ｄとする必要があり、表皮電流Ｉの厚さｄを一定とすれば金属層４の厚さｔの値がそれより小さいほど通信感度が向上することが分かった。
【００２８】
しかし、金属層４の厚さｔの値が小さいほど（即ち、薄いほど）、その強度が低下し、ある限界に達すると保護機能が果たせなくなる。そこで実用的な保護強度を達成しながら電磁誘導作用で通信可能とするには、表皮電流Ｉの厚さｄを大きく出来る金属材料を選択する必要がある。
【００２９】
本発明者等が実施した実験によれば、オーステナイト系ステンレス、白銅、チタン等がそのような目的に適合していることが分かった。また真鍮等も使用可能である。一方、鉄、アルミニウム、銅、ニッケル等は表皮電流Ｉの厚さｄの値が小さく、箔程度まで薄くしなければ通信が困難である。
【００３０】
以下に示す表１は、金属層４を形成する金属板としてオーステナイト系ステンレス板（ＳＵＳ３０１，３０４，３１６）及びフェライト系ステンレス板（ＳＵＳ４３０）を用いたデータキャリア構造について非接触での通信可能距離を測定した実験結果である。
【００３１】
【表１】
2004266352.tif 000003
【００３２】
金属層４の厚さを変えるため、薄い金属板を複数重ねる方法も採用して種々実験したが、同じ厚さの場合、単層よりも積層した方が通信距離は小さくなった。この原因は積層の場合には金属板間に空気層が介在するので、電磁誘導作用が多段階になるため減衰が大きいためと推定される。
【００３３】
実験は円盤状のアンテナコイルを有するデータキャリア５として外径直径５０ｍｍ、同じく外径直径２０ｍｍの２種類のＲＦＩＤタグ（Ｒａｄｉｏ  ｆｒｅｑｕｅｎｃｙ  Ｉｄｅｎｔｉｆｉｃａｔｉｏｎ  ＴＡＧ）１、２について行い、通信装置１としてＲＦＩＤタグ用のリーダライタ機（Ｒ／Ｗ機）を使用して情報が正確に読み取れる読取距離（各ＲＦＩＤタグとリーダライタ機との離間距離）を測定した。
【００３４】
尚、表１において、各種金属板の板厚に積層枚数を乗じた値を金属層４全体の層厚として示しており、金属層４を形成する各金属板の寸法は端部から磁束が漏洩しない十分な大きさとした。また、読取距離において「×」は読取出来なかった場合を示す。
【００３５】
以下に示す表２は鉄板、銅板、白銅板、ニッケル板、チタン板、アルミニウム板、真鍮板について表１と同様な方法で行った実験結果である。
【００３６】
【表２】
2004266352.tif 000004
【００３７】
上記表１、２に示したように、金属層４として、オーステナイト系ステンレス、白銅、チタン等が本発明の通信装置１を保護する金属層４に適していることが分かる。
【００３８】
金属層４を上記のような金属材料から選択し、且つ金属層４の適正な厚みを選択することにより、通信装置１、特にそのアンテンナ２部分における高い強度と耐久性を確保出来ると共に、実用的な通信感度を有する通信装置１を提供出来る。尚、本発明にいう「電磁誘導作用により通信可能な厚さに形成した金属層」とは、そのような機能を発揮出来る材料と厚みを有する金属層４を意味する。
【００３９】
図２は上記通信装置１の電磁波通信原理を利用した本発明に係る開閉扉の開閉システムを説明するブロック図である。通信装置１はアンテナコイル２を有する送受信部３と、該送受信部３の送受信を制御する制御部８と、該制御部８に接続した記憶部９と、制御部８からの制御信号を受けて、図４及び図５に示す開閉扉２０の開閉ロック装置３０に駆動信号を出力する駆動部１０と、外部交流電源を受けて前記各機器に直流電源を供給する電源部１１を備えている。
【００４０】
前記送受信部３、制御部８及び記憶部９はマイクロコンピュータで構成することが出来、電源部１１は小型ダイオードとコンデンサにより構成出来、駆動部１０はサイリスタ回路により構成出来る。尚、通信装置１のアンテナコイル２は通信感度を容易に高く出来る円盤型のコイル形状を有するものが望ましい。
【００４１】
一方、データキャリア５はアンテナコイル６を有する送受信部７と、該送受信部７に接続された電力蓄積用のコンデンサ１２と、送受信部７の送受信を制御する制御部１３と、該制御部１３に接続された記憶部１４を備えている。
【００４２】
そして、送受信部７、コンデンサ１２、制御部１３及び記憶部１４は１チップＩＣで構成出来、そのＩＣチップにアンテナコイル６を接続する。本発明に係る開閉システムに使用するデータキャリア５はカード型または棒状のキー型のいずれでもよいが、カード型の場合は円盤型のコイル形状を有するアンテナコイル６を用い、キー型の場合は細長い棒状のコイルを有するアンテナコイル６を用いることが望ましい。
【００４３】
次に図２に示される開閉システムの動作について説明すると、例えばデータキャリア５の記憶部１４に予め記憶された解錠のための特定のコード情報をアンテナコイル６から電磁波として発信すると、その電磁波は金属層４における表皮電流Ｉを媒介して通信装置１のアンテナコイル２に受信される。
【００４４】
受信した特定のコード情報は制御部８で予め記憶部９に記憶されているコード情報と比較照合して判別し、両者が一致したときは制御部８から駆動部１０に制御信号を出力し、駆動部１０から図５に示す開閉ロック装置３０に解錠信号が出力される。また不一致のときは制御部８から解錠のための制御信号は出力しない。
【００４５】
図３は上記開閉システムの動作を示すフローチャートである。先ず、ステップＳ１において、通信装置１の電源をＯＮにすると、通信装置１の制御部８は送受信部３を制御してデータキャリア５の電源充電用の電磁波を比較的短時間のインターバルで繰り返し発信する（ステップＳ２）。
【００４６】
そして、通信装置１にデータキャリア５が接近すると、データキャリア５はそのアンテナコイル６で電磁波を受信し、送受信部７を動作状態にすると共に、コンデンサ１２に電磁波の電気エネルギーを電力として充電する。コンデンサ１２が充電されて回路が正規電圧まで上昇すると、制御部１３が動作状態になる（ステップＳ３）。
【００４７】
すると、制御部１３は記憶部１４に記憶された解錠用の特定のコード情報を送受信部７より通信装置１に送信する（ステップＳ４）。コード情報を受信した通信装置１は制御部８が前記のように記憶部９に記憶したコード情報と比較照合し（ステップＳ５）、両者のコード情報が一致したときは解錠用の制御信号を出力して開閉ロック装置３０が開閉扉２０を解錠し（ステップＳ６）、両者のコード情報が不一致のときは該制御信号を出力せずにステップＳ２に戻り、電源充電用電磁波発信を繰り返す。
【００４８】
図４及び図５は本発明に係る開閉システムを金属材料で構成された対象物となる建物の開閉扉２０とそれに隣接する壁２５に対して適用した場合の一例を示す正面図及び横断面図であり、図４は開閉扉２０の外側から見た正面図である。建物の開閉扉２０は、図５に示すように、鉄板で作られた表板２１及び裏板２２と、それ等を連結する側板２３により構成され、一方の側板２３が複数のヒンジ部材２４により壁２５に対して開閉自在に連結される。
【００４９】
壁２５は鉄筋コンクリート製の厚い基部２６と、その表面に被覆した金属層を構成する比較的薄い鉄板製の被覆板２７により構成され、図４に示すように天井部２８と床部２９との間に直立して構築されている。対象物となる壁２５の内部に通信装置１及び開閉ロック装置３０の駆動部３１が配置される。尚、これ等の通信装置１と開閉ロック装置３０は壁２５の内部に形成した空間部に裏側から挿入し、周囲の壁部分に装脱着可能に固定される。
【００５０】
開閉ロック装置３０の駆動部３１は、例えば、電磁駆動式シリンダにより構成され、その駆動軸３２の先端部が開閉扉２０の側板２３に設けた受部３３内に挿入または退避して施錠または解錠するようになっている。
【００５１】
尚、開閉扉２０には、図４及び図５に示すように手で開閉操作するための取手３４が設けられる。更に開閉扉２０の裏側には開閉ロック装置３０を施錠側にロックするための図示しない手動レバーが設けられる。
【００５２】
通信装置１はその通信側、即ち、アンテンナ２側が壁２５の表面側に近づくようにして図５に示すように被覆板２７の付近に配置する。そして、送受信部３、制御部８及び記憶部９を含む通信装置１全体が被覆板２７により保護される。
【００５３】
そして、通信装置１をデータキャリア５と電磁誘導作用により通信可能な厚さに形成した金属層を構成する被覆板２７を介して対象物となる壁２５の表面側に配置する。開閉ロック装置３０は金属材料で構成された開閉扉２０と、それに隣接する壁２５との間に設けられ、金属材料で構成された対象物である壁２５に設けた開閉ロック装置３０が非接触で開閉する。
【００５４】
その際、通信装置１の通信側と対向する被覆板２７が前述した「電磁誘導作用により通信可能な厚さに形成した金属層」の機能を果たせない場合、例えば厚い鉄板等の場合には、その部分を開口して図４及び図５に示すような本発明の通信装置１に適合する金属層４を溶接等で接合する。金属層４の材質はオーステナイト系ステンレス、チタン、白銅から適宜選択され、層厚も適宜選択される
【００５５】
尚、図５に示す開閉システムの動作は図２及び図３を用いて前述したと同様であるため説明を省略する。
【００５６】
次に図６及び図７を用いて本発明に係る通信装置を備えた開閉システムの第２実施形態の構成について説明する。図６は本発明の開閉システムを金属材料で構成された金庫の開閉扉とそれに隣接する壁に対して適用し、その金庫を外側から見た斜視図、図７は金属層を介して金庫の表面側に通信装置を配置した様子を示す断面図、及び金庫の開閉扉と、それに隣接する壁との間に設けられた開閉ロック装置の構成を示す断面図である。尚、前記第１実施形態と同様に構成したものは同一の符号を付して説明を省略する。
【００５７】
図６に示すように、金属材料で構成された対象物となる金庫４０は正面の開閉扉４１と周囲の壁４２とを備えた密閉型に構成され、開閉扉４１には数字合わせにより解錠できるダイヤルノブ４３が設けられる。
【００５８】
図７に示すように、金庫４０の内部には通信装置１と開閉ロック装置４４の駆動部４５が配置される。開閉扉４１のダイヤルノブ４３付近の壁４２に小さな開口部４２ａを設け、その開口部４２ａに通信装置１を配置する。その際、その通信側が壁４２の表面側になるように配置する。
【００５９】
そして、通信装置１と壁４２の表面側の一部に設けられた金属層４との間には非導電性の耐火層４６を介在させる。一方、駆動部４５は、例えば、電磁駆動式シリンダにより構成され、その駆動軸４７の先端部が開閉扉４１に設けた受部４８内に挿入または退避して施錠または解錠するようになっている。開閉ロック装置４４は金属材料で構成された金庫４０の開閉扉４１と、それに隣接する壁４２との間に設けられ、該開閉ロック装置４４は開閉扉４１を閉じたときに自動的に施錠側にロックされる。
【００６０】
【発明の効果】
本発明は、上述の如き構成と作用とを有するので、少なくとも通信端末部分である送受信部のアンテナが金属層で保護されているので、送受信端末部分の耐久性を極めて高く出来る。
【００６１】
また、送受信部、制御部及び記憶部を含む通信装置全体を金属層で保護することにより通信装置全体の耐久性を極めて高く出来る。
【００６２】
また、金属層の材質として、オーステナイト系ステンレス、チタンまたは白銅を用いることが出来、これ等の材料を使用することにより通信感度がより向上する。
【００６３】
また、本発明に係る開閉システムによれば、金属製の材料で構成された対象物の一部に金属層を形成し、その金属層を介して外側から接近させたデータキャリアとの間で通信を行って開錠を行うので、通信装置のアンテナ部分付近に磁束漏洩路を形成する必要がない。そのため通信装置の配置若しくは取り付け位置の制約がなくなり、設計の自由度が向上する。
【００６４】
また、開閉ロック装置を、金属材料で構成された開閉扉と、それに隣接する壁との間に設けるか、或いは金属材料で構成された金庫の開閉扉と、それに隣接する壁との間に設けることが出来る。
【図面の簡単な説明】
【図１】本発明に係る通信装置の電磁波通信原理を説明するブロック図である。
【図２】本発明に係る通信装置の電磁波通信原理を利用した開閉扉の開閉システムを説明するブロック図である。
【図３】本発明に係る開閉システムの動作を説明するフローチャートである。
【図４】本発明に係る開閉システムを金属材料で構成された建物の開閉扉とそれに隣接する壁に対して適用し、その開閉扉の外側から見た正面図である。
【図５】本発明の開閉システムを金属材料で構成された建物の開閉扉とそれに隣接する壁に対して適用した一例を示す横断面図である。
【図６】本発明の開閉システムを金属材料で構成された金庫の開閉扉とそれに隣接する壁に対して適用し、その金庫を外側から見た斜視図である。
【図７】金属層を介して金庫の表面側に通信装置を配置した様子を示す断面図、及び金庫の開閉扉と、それに隣接する壁との間に設けられた開閉ロック装置の構成を示す断面図である。
【符号の説明】
１…通信装置
２…アンテナコイル
３…送受信部
４…金属層
５…データキャリア
６…アンテナコイル
７…送受信部
８…制御部
９…記憶部
１０…駆動部
１１…電源部
１２…コンデンサ
１３…制御部
１４…記憶部
２０…開閉扉
２１…表板
２２…裏板
２３…側板
２４…ヒンジ部材
２５…壁
２６…基部
２７…被覆板
２８…天井部
２９…床部
３０…開閉ロック装置
３１…駆動部
３２…駆動軸
３３…受部
３４…取手
４０…金庫
４１…開閉扉
４２…壁
４２ａ…開口部
４３…ダイヤルノブ
４４…開閉ロック装置
４５…駆動部
４６…耐火層
４７…駆動軸
４８…受部
【図１】
2004266352.tif 000005
【図２】
2004266352.tif 000006
【図３】
2004266352.tif 000007
【図４】
2004266352.tif 000008
【図５】
2004266352.tif 000009
【図６】
2004266352.tif 000010
【図７】
2004266352.tif 000011